(57)【要約】      （修正有）【課題】着用物品の特徴をわかりやすく展示できる着用物品用展示具を提供する。【解決手段】展示具１は、小伸縮部を有するおむつ７０を展示し、小伸縮部の伸縮方向に細長い長穴２３を有する保持部２０を有する本体１０と、小伸縮部を、長穴２３に沿った方向に伸縮可能に、保持部２０に装着する鋲６０とを備える。【選択図】図１
2017046780.tif 000002
【特許請求の範囲】
【請求項１】
伸縮方向に伸縮する伸縮部を有する着用物品を展示する着用物品用展示具であって、
前記伸縮部の伸縮方向に細長い長穴を有する保持部を有する本体と、
前記伸縮部を、前記長穴に沿った方向に伸縮可能に、前記保持部に装着する装着部材とを備えること、
を特徴とする着用物品用展示具。
【請求項２】
請求項１に記載の着用物品用展示具において、
前記伸縮部は、前記着用物品の上縁部に設けられ、
前記本体は、前記着用物品を被着体に着用した形状に対応した形状であり、
前記保持部は、
前記本体の上縁部に設けられ、
前記着用物品の上縁部を載置する傾斜面を備えること、
を特徴とする着用物品用展示具。
【請求項３】
請求項１又は請求項２に記載の着用物品用展示具において、
前記伸縮部は、前記着用物品の上縁部に設けられ、
前記本体は、前記着用物品を被着体に着用した形状に対応した形状であり、
前記保持部は、前記本体の上縁部に設けられ、伸縮方向に突出していること、
を特徴とする着用物品用展示具。
【請求項４】
請求項１から請求項３のいずれかに記載の着用物品用展示具において、
前記伸縮部は、前記着用物品の上縁部に設けられ、
前記保持部は、前記伸縮部の裏面側を露出させる切り欠きを備えること、
を特徴とする着用物品用展示具。
【請求項５】
着用物品を展示する着用物品用展示具であって、
前記着用物品の上縁部を保持する保持部を有する本体を備え、
前記本体は、前記着用物品を被着体に着用した形状に対応した形状であり、
前記保持部は、前記着用物品の上縁部を載置する傾斜面を備えること、
を特徴とする着用物品用展示具。
【請求項６】
着用物品を展示する着用物品用展示具であって、
前記着用物品の上縁部を保持する保持部を有する本体を備え、
前記本体は、前記着用物品を被着体に着用した形状に対応した形状であり、
前記保持部は、前記本体の上縁部に設けられ、伸縮方向に突出していること、
を特徴とする着用物品用展示具。
【請求項７】
着用物品を展示する着用物品用展示具であって、
前記着用物品の上縁部を保持する保持部を有する本体を備え、
前記保持部は、前記着用物品の上縁部の裏面側を露出させる切り欠きを備えること、
を特徴とする着用物品用展示具。
【発明の詳細な説明】
【技術分野】
【０００１】
本発明は、着用物品を展示する着用物品用展示具に関するものである。
【背景技術】
【０００２】
従来、おむつ等の着用物品を展示するディスプレイパネルがあった（例えば特許文献１）。ここで、着用物品は、立体的形状であり、また、着用物品の一例である使い捨ておむつは、多機能化されている。
しかし、従来のディスプレイパネルは、着用物品のこのような特徴を、十分にわかりやすく展示できなかった。
【先行技術文献】
【特許文献】
【０００３】
【特許文献１】特開２０１３−２４０４５９号公報
【発明の概要】
【発明が解決しようとする課題】
【０００４】
本発明の課題は、着用物品の特徴をわかりやすく展示できる着用物品用展示具を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、伸縮方向に伸縮する伸縮部（８０，８２）を有する着用物品（７０）を展示する着用物品用展示具（１）であって、前記伸縮部の伸縮方向に細長い長穴（２３）を有する保持部（２０）を有する本体（１０）と、前記伸縮部を、前記長穴に沿った方向に伸縮可能に、前記保持部に装着する装着部材（６０）とを備えること、を特徴とする着用物品用展示具である。
・第２の発明は、第１の発明の着用物品用展示具において、前記伸縮部（８０，８２）は、前記着用物品（７０）の上縁部に設けられ、前記本体（１０）は、前記着用物品を被着体に着用した形状に対応した形状であり、前記保持部（２０）は、前記本体の上縁部に設けられ、前記着用物品の上縁部を載置する傾斜面（２２）を備えること、を特徴とする着用物品用展示具である。
・第３の発明は、第１又は第２の発明の着用物品用展示具において、前記伸縮部（８０，８２）は、前記着用物品（７０）の上縁部に設けられ、前記本体（１０）は、前記着用物品を被着体に着用した形状に対応した形状であり、前記保持部（２０）は、前記本体の上縁部に設けられ、伸縮方向に突出していること、を特徴とする着用物品用展示具である。
・第４の発明は、第１から第３のいずれかの発明の着用物品用展示具において、前記伸縮部（８０，８２）は、前記着用物品（７０）の上縁部に設けられ、前記保持部（２０）は、前記伸縮部の裏面側を露出させる切り欠き（２４）を備えること、を特徴とする着用物品用展示具である。
・第５の発明は、着用物品（７０）を展示する着用物品用展示具（１）であって、前記着用物品の上縁部を保持する保持部（２０）を有する本体（１０）を備え、前記本体は、前記着用物品を被着体に着用した形状に対応した形状であり、前記保持部は、前記着用物品の上縁部を載置する傾斜面（２２）を備えること、を特徴とする着用物品用展示具である。
・第６の発明は、着用物品（７０）を展示する着用物品用展示具（１）であって、前記着用物品の上縁部を保持する保持部（２０）を有する本体（１０）を備え、前記本体は、前記着用物品を被着体に着用した形状に対応した形状であり、前記保持部は、前記本体の上縁部に設けられ、伸縮方向に突出していること、を特徴とする着用物品用展示具である。
・第７の発明は、着用物品（７０）を展示する着用物品用展示具（１）であって、前記着用物品の上縁部を保持する保持部（２０）を有する本体（１０）を備え、前記保持部は、前記着用物品の上縁部の裏面側を露出させる切り欠き（２４）を備えること、を特徴とする着用物品用展示具である。
【発明の効果】
【０００７】
本発明によれば、着用物品の特徴をわかりやすく展示できる着用物品用展示具を提供できる。
【図面の簡単な説明】
【０００８】
【図１】実施形態の展示具１の展示状態の斜視図である。
【図２】実施形態の展示具１の展示状態を手前側Ｙ１から見た図である。
【図３】実施形態の展示具１の展示状態を左右方向Ｘから見た断面図である。
【図４】実施形態の展示具１及びおむつ７０の長穴２３を通る断面図（図２の４−４部断面図）である。
【図５】実施形態のおむつ７０の展開状態を示す図である。
【発明を実施するための形態】
【０００９】
（第１実施形態）
以下、図面等を参照して、本発明の第１実施形態について説明する。
図１は、実施形態の展示具１の展示状態の斜視図である。
図２は、実施形態の展示具１の展示状態を手前側Ｙ１から見た図である。
図３は、実施形態の展示具１の展示状態を左右方向Ｘから見た断面図である。
図４は、実施形態の展示具１及びおむつ７０の長穴２３を通る断面図（図２の４−４部断面図）である。
【００１０】
実施形態、図面では、説明と理解を容易にするために、ＸＹＺ直交座標系を設けた。この座標系は、図１の状態を基準に、展示具１の左右方向Ｘ（左側Ｘ１、右側Ｘ２）、奥行方向Ｙ（手前側Ｙ１、奥側Ｙ２）、鉛直方向Ｚ（下側Ｚ１、上側Ｚ２）を示す。奥行方向Ｙの手前側Ｙ１は、展示方向であり、つまり店舗への来店者が位置する方向である。左右方向Ｘ、奥行方向Ｙは、水平方向の座標軸である。
なお、図面では、適宜、おむつ７０を二点鎖線で示し、おむつ７０を透過して展示具１を図示した。また、図３では、おむつ７０の断面形状を簡略して、１つの太線で図示した。
【００１１】
展示具１（着用物品用展示具）は、おむつ７０（着用物品）を、販売店の店内等に、展示するためのものである。展示具１は、販売店の棚、壁等に設けられたフック２に引っ掛けられる。
来店者のうちおむつ７０の購入者（以下単に来店者という）は、展示されたおむつ７０を、実際に手で触ることにより、触覚や使い勝手を、購入前に確認できる。
【００１２】
（展示具１の構成）
展示具１の構成について説明する。
図１から図３に示すように、展示具１は、本体１０、鋲６０（装着部材）、吊るし紐５５を備える。
本体１０を左右方向Ｘから見た形状は、上側Ｚ２が開口したＵ字型である（図３参照）。本体１０は、例えば、１枚の透明なＰＥＴ等の樹脂板材を、プレス加工等によって抜き加工、曲げ加工することにより形成される。
【００１３】
本体１０は、傾斜保持部２０（保持部）、湾曲部３０、背板部４０、吊るし部５０を備える。
傾斜保持部２０、湾曲部３０、背板部４０、吊るし部５０は、この順番で連続している。展示状態において、傾斜保持部２０側が手前側Ｙ１であり背板部４０側が奥側Ｙ２である。
【００１４】
傾斜保持部２０の外形は、左右方向Ｘに細長い長方形である。傾斜保持部２０は、湾曲部３０の手前側Ｙ１部分の上端部に接続されている。傾斜保持部２０は、湾曲部３０に対して、奥側Ｙ２に傾斜するように、屈曲部２１で接続されている（図３参照）。
このため、傾斜保持部２０は、本体１０の上縁部に配置される。また、傾斜保持部２０の前面は、傾斜面２２になっている。傾斜面２２は、奥側Ｙ２に至る程上側Ｚ２に至るように傾斜している。
左右方向Ｘにおいて、傾斜保持部２０の長さは、湾曲部３０の長さよりも大きい。このため、傾斜保持部２０は、左右方向Ｘ（おむつ７０の伸縮部８０の伸縮方向）に突出したような形態である。
【００１５】
傾斜保持部２０は、長穴２３、切り欠き２４を備える。
長穴２３は、鋲６０を通すことにより、おむつ７０を保持するためのものである。長穴２３は、左右対称に２つ設けられている。長穴２３は、左右方向Ｘに細長い。但し、長穴２３は、外側に至る程上側Ｚ２に至るように、緩い角度で傾斜している（図２参照）。傾斜保持部２０は、左右方向Ｘに突出したような形態であるので、長穴２３の設置スペースを確保できる。
切り欠き２４は、傾斜保持部２０の上縁部に設けられている。
【００１６】
湾曲部３０を左右方向Ｘから見た形状は、上側Ｚ２が開口したＵ字型である（図３参照）。開口の方向は、手前側Ｙ１の斜め上側Ｚ２に傾いている。湾曲部３０の手前側Ｙ１上端部には、傾斜保持部２０が屈曲部２１で接続されており、一方、奥側Ｙ２上端部には、背板部４０が屈曲部３１で接続されている。これにより、傾斜保持部２０は、手前側Ｙ１に配置され、一方、背板部４０は、奥側Ｙ２に配置される。
また、湾曲部３０は、背板部４０に対して、奥側Ｙ２に傾斜するように、屈曲部３１で接続されている。
左右方向Ｘにおいて、湾曲部３０の長さは、乳幼児の身体の股の長さと同等である。
【００１７】
背板部４０は、展示具１の奥側Ｙ２の背の部分を構成する。左右方向Ｘにおいて、背板部４０の長さと、湾曲部３０の長さとは、等しい。
背板部４０は、丸穴４３を備える。
丸穴４３は、鋲６０を通すことにより、おむつ７０を保持するためのものである。丸穴４３は、背板部４０のほぼ中央に設けられている。
【００１８】
吊るし部５０は、吊るし紐５５を通すための吊るし穴５１が設けられている。また、吊るし部５０は、展示具１の奥側Ｙ２部分の上端部を構成する。
左右方向Ｘにおいて、吊るし部５０の長さは、湾曲部３０、背板部４０の長さよりも大きい。このため、吊るし部５０は、左右方向Ｘに突出したような形態である。
吊るし穴５１は、吊るし部５０の左右両縁部に設けられている。
【００１９】
鋲６０は、ホック鋲とも称される。
図３、図４に示すように、鋲６０は、傾斜保持部２０の２つの長穴２３、背板部４０の丸穴４３にそれぞれ取り付けられることにより、合計３つ取り付けられる。
鋲６０は、鋲本体６１の先端に、皿状の止め具６２を取り付けるようになっている。
おむつ７０の背部７１側は、２つの鋲６０によって傾斜保持部２０に装着され、一方、腹部７２は、１つの鋲６０によって背板部４０に装着される。
【００２０】
（おむつ７０の構成）
おむつ７０の構成について説明する。
図５は、実施形態のおむつ７０の展開状態を示す図である。
図５（Ａ）は、伸縮部８０が縮み状態である。
図５（Ｂ）は、伸縮部８０が伸び状態である。
図５は、おむつ７０の各構成の配置を示すために、内部構成も実線で示した。また、鋲６０の取り付け位置を、黒丸で示した。
図５、実施形態では、おむつ７０を開く方向を展開方向Ｗとして説明する。
【００２１】
おむつ７０は、乳幼児（被着体）に着用させるテープタイプである。おむつ７０は、使用後に破棄される使い捨てタイプである。おむつ７０の大部分は、不織布によって形成される。
おむつ７０は、背部７１、腹部７２、伸縮部８０、吸水シート８５、側部伸縮部９０、テープ９１を備える。
おむつ７０を身体に装着した状態において、背部７１は、身体の背側に配置される部分であり、一方、腹部７２は、身体の腹側に配置される部分である。
背部７１及び腹部７２の接続部、つまり、おむつ７０の中央部分７３は、身体の股に対応する部分である。
【００２２】
伸縮部８０、吸水シート８５は、おむつ７０の表裏シート７５内に積層されている（図４参照）。
伸縮部８０は、左右方向Ｘに付勢力を発生する伸縮シートを備える。伸縮部８０は、背部７１の展開方向Ｗの上側Ｗ２縁部に配置されている。伸縮部８０は、縮み状態において、左右方向Ｘに引っ張り力を付加されることにより、伸び状態に変形する。また、伸縮部８０は、伸び状態において、この引っ張り力の付加を止めると、縮み状態に戻る。伸縮部８０は、このように左右方向Ｘ（伸縮方向）に伸縮することにより、左右方向Ｘに付勢力を発生するゴムのような性質を有する。縮み状態において、おむつ７０に形成される皺は、ギャザーとも称される。
このように、背部７１の上側Ｗ２縁部近傍は、伸縮部８０を備えることにより、腹部７２の下側Ｗ１縁部近傍よりも、左右方向Ｘに伸縮しやすい。
【００２３】
伸縮部８０は、大伸縮部８１、小伸縮部８２を備える。
伸縮部８０は、大伸縮部８１及び小伸縮部８２を、１枚の伸縮シートによって形成してもよいし、複数の伸縮シートによって形成してもよい。大伸縮部８１及び小伸縮部８２を、複数の伸縮シートによって形成する場合には、これらのシートの一部を重ねるように積層してもよい。
大伸縮部８１は、小伸縮部８２よりも伸縮量（伸縮長さ）が大きい。展開方向Ｗにおいて、大伸縮部８１は、小伸縮部８２よりも外側に配置されている。伸び状態において、大伸縮部８１の左右方向Ｘの長さは、１５０ｍｍ程度であり、展開方向Ｗの長さは、３０ｍｍ程度である。一方、伸び状態において、小伸縮部８２の左右方向Ｘの長さは、１２０ｍｍ程度であり、展開方向Ｗの長さは、３０ｍｍ程度である。
なお、小伸縮部８２が大伸縮部８１より伸縮量が小さい理由は、両者の外形が異なること、吸水シート８５が不織布よりもしっかりとした材質であること等のためである。
【００２４】
吸水シート８５は、吸水性ポリマー等を備えるシート材である。
吸水シート８５の外形は、展開方向Ｗに細長いほぼ長方形である。
展開方向Ｗにおいて、吸水シート８５の外形は、おむつ７０の外形よりも３０ｍｍ程度内側に位置する。このため、吸水シート８５の縁部は、小伸縮部８２に重なる。
【００２５】
吸水シート８５のうち小伸縮部８２に重なる部分は、小伸縮部８２と一緒に伸縮する。但し、吸水シート８５自体は、殆んど伸縮することはない。
図５（Ａ）に示すように、小伸縮部８２が縮み状態では、吸水シート８５は、波状に変形することにより、左右長が短くなる（図４（Ａ）参照）。
一方、図５（Ｂ）に示すように、小伸縮部８２が伸び状態では、吸水シート８５は、ピンと張ることにより、左右長が長くなる（図４（Ｂ）参照）。
【００２６】
側部伸縮部９０は、左右の縁部に、それぞれ設けられている。側部伸縮部９０は、伸縮部８０と同様な伸縮シートを備える。側部伸縮部９０が縮むことにより、背部７１及び腹部７２は、身体を股を包み込むように変形し、また、おむつ７０の外形が身体の足の付け根部分の周囲に密着する。
【００２７】
テープ９１は、背部７１のコーナ部に、左右方向Ｘに突出するように設けられている。
テープ９１は、面ファスナを備える。テープ９１は、腹部７２のコーナ部に着脱可能である。テープ９１によって、おむつ７０は、背部７１のコーナ部及び腹部７２のコーナ部を、胴体のサイズに合わせて、接続できる。おむつ７０におけるテープタイプとは、このようにテープ９１で背部７１、腹部７２間を接続できるタイプのものをいう。
【００２８】
（装着方法）
作業者は、以下の手順に従って、おむつ７０を展示具１に装着することができる。なお、以下の手順は、一例であり、適宜順番を変更してもよい。
（１）図４の２点鎖線内に示すように、鋲本体６１の軸部を、長穴２３に通す（図４の矢印♯１参照）。さらに、鋲６０の鋲本体６１の軸部を、おむつ７０の小伸縮部８２、吸水シート８５等を貫通させる。
（２）鋲本体６１の先端に止め具６２を取り付ける（図４の矢印♯２参照）。これにより、おむつ７０及び傾斜保持部２０は、重なった状態で、鋲本体６１の頭と止め具６２との間に挟み込まれる。
上記（１）、（２）の作業を、左右の長穴２３について行う。
【００２９】
この取り付け時には、小伸縮部８２を縮んだ状態とする。また、各長穴２３に、鋲６０を、左右方向Ｗの内寄りに取り付ける。つまり、左側Ｘ１の長穴２３には、鋲６０を右寄りに取り付け、一方、右側Ｘ２の長穴２３には、鋲６０を左寄りに取り付ける（図４（Ａ）参照）。
以上により、おむつ７０の背部７１は、上端から５０ｍｍ程度の位置で、傾斜保持部２０に装着される。
【００３０】
（３）図３に示すように、おむつ７０を湾曲部３０の下側Ｚ１にかぶせながら、おむつ７０の腹部７２を背板部４０の奥側Ｙ２に配置する。
（４）上記（１）、（２）と同様に、鋲６０によって、腹部７２を背板部４０の丸穴４３に装着する。この場合、鋲６０を、腹部７２の上端から４０ｍｍ程度の位置に取り付ける。
以上により、おむつ７０の背部７１が、背板部４０に装着される。
（５）吊るし紐５５を、棚等のフック２に引っ掛ける。
以上により、おむつ７０は、展示具１に装着され、また、フック２に吊るされる。
【００３１】
（展示状態）
展示状態、つまり、おむつ７０を展示具１に装着した状態について説明する。
（１）来店者が伸縮部８０よりも左右外側の部分（例えばテープ９１）を左右外側に向けて引っ張ると、大伸縮部８１、小伸縮部８２が伸びる。
ここで、前述したように、鋲６０は、小伸縮部８２を縮み状態にして、長穴２３の内側の範囲に装着される。
図４に示すように、このため、鋲６０は、長穴２３に沿って、左右方向Ｘの外側に移動する。また、引っ張ることを止めれば、鋲６０は、元の位置に戻る。このように、傾斜保持部２０は、大伸縮部８１、小伸縮部８２を伸縮可能に、おむつ７０を保持できる。
これにより、来店者は、小伸縮部８２の伸縮の程度、すなわち、おむつ７０の大きな特徴の１つである吸水シート８５の伸縮の程度を確認できる。
【００３２】
また、鋲６０は、大伸縮部８１よりも伸縮量が小さい小伸縮部８２に取りけられている。このため、鋲６０の伸縮時における移動ストロークは、鋲６０を大伸縮部８１に取り付ける形態の移動ストロークよりも、小さい。
このため、傾斜保持部２０は、長穴２３の左右長を短くできる。これにより、傾斜保持部２０は、乳幼児の体型に合わせて小型にでき、また、十分な強度を得ることができる。
【００３３】
（２）長穴２３よりも上側Ｚ２の範囲でおむつ７０を左右方向Ｘに引っ張ると、おむつ７０は、鉛直方向Ｚにおいては生地が縮むので、全体が上側Ｚ２に移動しようとする。この場合でも、長穴２３は、外側に至る程上側Ｚ２に傾斜しているので（図２参照）、おむつ７０は、上側Ｚ２に移動できるので、自然な動きになる。
【００３４】
（３）傾斜保持部２０は、傾斜しているので、おむつ７０の背部７１の上縁部の領域７１ａ（図３参照）は、傾斜保持部２０の傾斜面２２に載置された状態となる。このため、テープ９１を離した状態であっても、この領域７１ａは、垂れ下がることがない。これにより、展示具１は、背部７１の上縁部及び伸縮部８０の構造を、来店者に見えやすく展示できる。
【００３５】
（４）傾斜保持部２０は、切り欠き２４を備えるので、おむつ７０の伸縮部８０の裏面側の一部は、奥側Ｙ２に露出する。このため、上記（３）のように、伸縮部８０が傾斜面２２に載るような状態であっても、来店者は、指で伸縮部８０を表裏から挟んだりすることにより、その触感を確認できる。
【００３６】
（５）おむつ７０の側部伸縮部９０は、自然に縮んだ状態になる。
このため、おむつ７０の側部伸縮部９０近傍は、湾曲部３０の左右縁部を、包むように配置される（図１参照）。これにより、側部伸縮部９０近傍は、身体の足の付け根を密着した形状と、同様な形状になる。また、来店者等は、側部伸縮部９０近傍を表裏から挟んだりすることにより、その触感を確認できる。
【００３７】
（６）湾曲部３０は、背板部４０に対して奥側Ｙ２に傾斜するように接続されている。このため、背部７１は、湾曲部３０に沿って配置されることにより、乳幼児の腹部の体型と同様な形状になる。
また、テープ９１を腹部７２側に貼り付けた状態では、乳幼児の胴回りを締め付けた形状と同様な形状になる。
これらの作用と、上記（１）、（５）等の作用によって、本体１０は、おむつ７０を、身体に着用した状態と同様に保持できる。
このように、本体１０の形状は、おむつ７０を身体に装着した状態と、同様な形状になるように形成されている。これにより、展示具１は、おむつ７０を立体的に展示できる。
また、おむつ７０を掴んだりすると、湾曲部３０等が柔軟に変形する。これにより、展示具１は、乳幼児の身体の膨よかで柔らかいイメージを湧くように、おむつ７０を展示できる。
【００３８】
（７）奥行方向Ｙにおいて、湾曲部３０は、背板部４０に対して、屈曲部３１で奥側Ｙ２に向けて屈曲する。また、傾斜保持部２０は、湾曲部３０に対して奥側Ｙ２に向けて屈曲している。
このため、おむつ７０及び展示具１の全体の重心は、屈曲しない形態よりも奥側Ｙ２に位置する。これにより、展示具１は、おむつ７０が極端に傾くことを抑制できるので、おむつ７０を見栄えよく展示できる。
【００３９】
このように、実施形態の展示具１は、おむつ７０の立体的形状、伸縮性等の特徴を、わかりやすく展示できる。
【００４０】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４１】
（変形形態）
実施形態において、展示物品は、テープタイプのおむつである例を示したが、これに限定されない。展示物品は、例えば、パンツタイプ（被着体に穿かせるタイプ）のおむつでもよい。また、展示物品は、おむつ以外であってもよく、各種下着、上着等であってもよい。
【符号の説明】
【００４２】
１  展示具
１０  本体
２０  傾斜保持部
２１  屈曲部
２２  傾斜面
２３  長穴
２４  切り欠き
３０  湾曲部
３１  屈曲部
４０  背板部
４３  丸穴
５０  背板部
６０  鋲
７０  おむつ
７１  背部
７２  腹部
８０  伸縮部
８１  大伸縮部
８２  小伸縮部
８５  吸水シート
９０  側部伸縮部
９１  テープ
【図１】
2017046780.tif 000003
【図２】
2017046780.tif 000004
【図３】
2017046780.tif 000005
【図４】
2017046780.tif 000006
【図５】
2017046780.tif 000007